(57)【要約】【課題】消火栓装置を監視員通路内に埋め込むようにして設置した場合において、消火用のホースの取り出しに支障が生ずることなく迅速な消火活動ができる消火栓装置を得る。【解決手段】本発明に係る消火栓装置１は、天板部３と、天板部３の下方に設けられて前面パネル３０を有する箱形の本体部５と、本体部５内に設けられて巻き回されたホース７を収納するホース収納部９と、本体部５内に設けられてホース７の先端に設けられた消火ノズル１１を保持するノズルホルダ１３とを有し、天板部３は、ノズルホルダ１３の上方に設けられた上面開口部２３と、上面開口部２３を開閉可能に覆う上面扉２５とを備え、ノズルホルダ１３は、上面開口部２３から消火ノズル１１を上方に引き上げたときに取り外し可能になっており、消火ノズル１１がノズルホルダ１３から外れたときに、ホース７及び消火ノズル１１の落下を防止する消火ノズル落下防止棒１５を備えてなる。【選択図】図２
2018094288.tif 000002
【特許請求の範囲】
【請求項１】
天板部と、該天板部の下方に設けられて前面パネルを有する箱形の本体部と、前記本体部内に設けられて巻き回されたホースを収納するホース収納部と、前記本体部内に設けられて前記ホースの先端に設けられた消火ノズルを保持するノズルホルダとを有し、
前記天板部は、前記ノズルホルダの上方に設けられた上面開口部と、該上面開口部を開閉可能に覆う上面扉とを備え、
前記ノズルホルダは、上記上面開口部から前記消火ノズルを上方に引き上げたときに取り外し可能になっており、
前記消火ノズルが前記ノズルホルダから外れたときに、前記ホースを支持して該ホース及び前記消火ノズルが落下するのを防止する消火ノズル落下防止手段を備えたことを特徴とする消火栓装置。
【請求項２】
前記ホース収納部は前記本体部内の背面寄りに設けられ、該ホース収納部と前記本体部の前面パネルとの間には空間が形成されており、
前記消火ノズル落下防止手段は、前記ホース収納部側から前記前面パネル側に向かって延出する棒状体で構成されていることを特徴とする請求項１記載の消火栓装置。
【請求項３】
前記ノズルホルダは、前記消火ノズルを保持するノズル保持片と、該ノズル保持片を回動可能に支持する支持部とを有し、
前記ノズル保持片が回動することで、該ノズル保持片に保持された消火ノズルを前記前面開口部側と前記上面開口部側のいずれからでも取り外せるようになっていることを特徴とする請求項１又は２に記載の消火栓装置。
【発明の詳細な説明】
【技術分野】
【０００１】
本発明は、例えばトンネル等に設置される消火栓装置に関する。
なお、本明細書において、消火栓装置に関する位置関係を説明する用語としての「背面側」とは消火栓装置を監視員通路に設置した状態において、トンネルの壁面側であり、「前面側」とは車道側をいう。
【背景技術】
【０００２】
トンネル等に設置される消火栓装置は、例えば特許文献１に開示されたように、消火栓装置の筐体を「トンネル壁面に形成された箱抜き部分」に設置していた。
【０００３】
しかしながら、最近の大口径のトンネルはシールド工法によって構築されることが多く、この場合、トンネルの壁面がトンネルの掘削と同時に鋼製のセグメントで構築されるため、特許文献１に開示されているような箱抜きをすることができない。
そのため、消火栓装置の本体の設置場所として、トンネル壁面ではなく、監視員通路内に埋め込むことが考えられ、このような態様のものとして特許文献２に開示されたトンネル用消火栓装置がある。
【０００４】
特許文献２に開示のものは、「トンネル側壁の路肩に沿って所定の高さに構築された監視員通路を備えたトンネルに設置されるトンネル用消火栓装置に於いて、前記監視員通路の路面側の側壁を装置前面として監視員通路の下部の空間に本体を収納したことを特徴とするトンネル用消火栓装置。」（特許文献２の請求項１参照）である。
【先行技術文献】
【特許文献】
【０００５】
【特許文献１】特開２０１５−４４０３９号公報
【特許文献２】特開２００１−９０５３号公報
【発明の概要】
【発明が解決しようとする課題】
【０００６】
特許文献２に開示のものは、本体内に引き出し可能に設けたトレイにホースリールや消火器を収納し、消火活動を行う際には前記トレイを前面側に引き出し、消火ノズルを取り外して、消火栓弁開閉レバー（操作レバー）の操作をするようにしている。
このため、特許文献２のものは、消火栓装置の前面側にトレイを引き出すための空間が必要となる。
しかしながら、消火栓装置を監視員通路内に埋め込むように設置した場合、消火栓装置の前面側は、車道に近く、事故車等が消火栓装置の前面側にある場合には、消火栓装置の前面側にはほとんど空間がないことも考えられる。そのため、消火活動を迅速に行えないことが想定される。
【０００７】
本発明はかかる課題を解決するためになされたものであり、消火栓装置を監視員通路内に埋め込むようにして設置した場合においても、消火用のホースの取り出しに支障が生ずることなく迅速な消火活動ができる消火栓装置を得ることを目的としている。
【課題を解決するための手段】
【０００８】
（１）本発明に係る消火栓装置は、天板部と、該天板部の下方に設けられて前面パネルを有する箱形の本体部と、前記本体部内に設けられて巻き回されたホースを収納するホース収納部と、前記本体部内に設けられて前記ホースの先端に設けられた消火ノズルを保持するノズルホルダとを有し、
前記天板部は、前記ノズルホルダの上方に設けられた上面開口部と、該上面開口部を開閉可能に覆う上面扉とを備え、
前記ノズルホルダは、上記上面開口部から前記消火ノズルを上方に引き上げたときに取り外し可能になっており、
前記消火ノズルが前記ノズルホルダから外れたときに、前記ホースを支持して該ホース及び前記消火ノズルが落下するのを防止する消火ノズル落下防止手段を備えたことを特徴とするものである。
【０００９】
（２）また、上記（１）に記載のものにおいて、前記ホース収納部は前記本体部内の背面寄りに設けられ、該ホース収納部と前記本体部の前面パネルとの間には空間が形成されており、
前記消火ノズル落下防止手段は、前記ホース収納部側から前記前面パネル側に向かって延出する棒状体で構成されていることを特徴とするものである。
【００１０】
（３）また、上記（１）又は（２）に記載のものにおいて、前記ノズルホルダは、前記消火ノズルを保持するノズル保持片と、該ノズル保持片を回動可能に支持する支持部とを有し、
前記ノズル保持片が回動することで、該ノズル保持片に保持された消火ノズルを前記前面開口部側と前記上面開口部側のいずれからでも取り外せるようになっていることを特徴とするものである。
【発明の効果】
【００１１】
本発明に係る消火栓装置は、消火ノズルがノズルホルダから外れたときに、ホースを支持して該ホース及び前記消火ノズルが落下するのを防止する消火ノズル落下防止手段を備えたことにより、消火ノズルを天板部の上面開口部から取り出そうとして誤って手を放した場合であっても、消火ノズルが消火ノズル落下防止手段によって支持されて本体部の底面まで落下することがなく、再度上面開口部から取り出すことができる。そのため、消火栓装置をトンネル内の監視員通路に設けられた設置用空間内に設置した場合であっても、消火用のホースの取り出しに支障が生ずることなく迅速な消火活動ができる。
【図面の簡単な説明】
【００１２】
【図１】本発明の実施の形態に係る消火栓装置の斜視図である。
【図２】図１に示した消火栓装置の内部構造を説明する正面図である。
【図３】図１に示した消火栓装置の天板部を除いた状態を上方から見た図であって、内部構造を説明する説明図である。
【図４】図１に示した消火栓装置の上面扉及び消火器箱上面扉を開扉した状態の斜視図である。
【図５】本実施の形態に係る消火栓装置のノズルホルダの説明図である。
【図６】図１に示した消火栓装置のノズルホルダの機能を説明する斜視図である。
【図７】図６の一部拡大図を含む正面図である。
【図８】図１に示した消火栓装置のノズルホルダの機能を説明する斜視図であって、保持状態にある消火ノズルを上方に持ち上げた状態を示している。
【図９】図８の一部拡大図を含む正面図である。
【図１０】図１に示した消火栓装置のノズルホルダの機能を説明する斜視図であって、消火ノズルを取り外した状態を示している。
【図１１】図１０の側面図である。
【図１２】本実施の形態に係る消火栓装置の機能を説明する斜視図である。
【図１３】本実施の形態に係る消火栓装置の機能を説明する正面図である。
【図１４】本実施の形態に係る消火栓装置の機能を説明する平面図であって、上面扉を開扉した状態を示している。
【図１５】本発明に係る消火栓装置が設置される監視員通路に設けられる設置用空間の説明図である。
【発明を実施するための形態】
【００１３】
本実施の形態に係る消火栓装置は、設置場所は特に限定されないが、例えばトンネル内の車道の路肩に構築された監視員通路に設けられた設置用空間内に設置されるのに好適なものである。
そこで、まず消火栓装置が設置されるのに好適な場所である監視員通路の設置用空間について図１５に基づいて説明する。
図１５は、トンネルの路肩の監視員通路の一部を示したものであり、図中、８１はトンネル壁面、８３は監視員通路、８５は車道である。
【００１４】
設置用空間８７は、図１５に示すように、監視員通路８３の前壁８９から監視員通路８３の車道幅方向に切り欠くように設けられ、車道幅方向に切断した断面では設置用空間８７を形成する壁がＬ字形状になっている。このような設置用空間８７が設けられることで監視員通路８３の路面には開口部が形成される。そして、該開口部の開口縁部９１は、後述する消火栓装置１の天板部３の張出し部１９が載置される３辺の部分が一段低くなった段部になっている。
【００１５】
上記のような設置用空間８７に設置される本実施の形態の消火栓装置１を図１〜図３に基づいて説明する。
消火栓装置１は、天板部３と、天板部３の下方に設けられた箱形の本体部５と、本体部５内に設けられて巻き回されたホース７を収納するホース収納部９と、本体部５内に設けられてホース７の先端に設けられた消火ノズル１１を保持するノズルホルダ１３と、消火ノズル１１がノズルホルダ１３から外れたときに、ホース７を支持してホース７及び消火ノズル１１が落下するのを防止する消火ノズル落下防止手段としての消火ノズル落下防止棒１５と、消火栓弁を操作するための操作レバー１７と、を備えている。
以下、消火栓装置１を構成する各部について詳細に説明する。
【００１６】
＜天板部＞
天板部３は、本体部５と一体的に連結されており、本体部５から外方に張り出す張出し部１９を有している。張出し部１９は、両側辺と後辺の３辺に設けられている。
張出し部１９は、監視員通路８３の開口縁部９１の段部に載置され、この状態で監視員通路８３の路面と天板部３が面一になる。
【００１７】
なお、張出し部１９によって本体部５を吊下げ支持するようにしてもよい。この場合には、張出し部１９を吊下げ支持に耐えられる強度にするため、例えば張出し部１９の下方にＬ形のアングル材２１（図２参照）等の補強部材を設けて、張出し部１９を下方から支持する構造にすればよい。
なお、張出し部１９は天板部３の他の部位と一体でも別体でもよい。
【００１８】
監視員通路８３に排水勾配が設けられている場合には、これに合わせて天板部３を本体部５に対して傾斜させて設置するようにするのが好ましい。
例えば、前面側から背面側に向かって登り傾斜となるような角度を設けるようにする。
【００１９】
天板部３におけるホース収納部９の前方かつ上方で、ノズルホルダ１３の上方に相当する部位には、上面開口部２３が形成され（図３、４参照）、上面開口部２３には開閉可能な上面扉２５が設けられ、上面扉２５が上面開口部２３を覆っている（図１参照）。
天板部３に上面開口部２３及び上面扉２５を設けたのは、消火栓装置１の天板部３側からホース７の引き出しや、操作レバー１７の操作を可能にするためである。
上面扉２５は、前側の辺部に設けられた図示しない回動軸を中心として例えば、前面側に向けて回動するようになっている。
なお、上面開口部２３における奥行き方向に延びる辺部には、ホース７の引き出し時にホース７が引っかかるのを防止する引っかかり防止部材を設けるのが好ましい。引っかかり防止部材としては、例えば上記辺部をカバーしてホースとの摩擦を低減できる樹脂製のカバー体や、ホース７が当接すると回転する細い円柱状の回転ロールのようなものが挙げられる。
【００２０】
天板部３における消火器収納部３２の上方に相当する部位には、消火器箱上面開口部２７が形成され、消火器箱上面開口部２７には開閉可能な消火器箱上面扉２９が設けられている。
消火器箱上面扉２９も上面扉２５と同様の構成になっている。
【００２１】
上面扉２５及び消火器箱上面扉２９を開扉すると、図４に示すように、両扉は後方から前面側に向けて回動して、直立よりも前面側に傾斜した起立状態を維持する。なお、両扉には起立状態から自然に閉止しないようにロックして起立状態を保持する起立保持部材を設けるのが望ましい。
なお、上面扉２５及び消火器箱上面扉２９を起立状態で保持させることで、火災等の煙で視界が悪くなったような場合において、作業者が監視員通路８３から車道８５に不意に落下したりするのを防止するという効果がある。
【００２２】
本実施の形態の消火栓装置１を設置用空間８７へ設置する場合、監視員通路８３の開口縁部９１に天板部３の張出し部１９を載置して設置される。設置状態では、天板部３が監視員通路８３の路面と面一になって、監視員通路８３の路面の一部として供用される。
【００２３】
なお、監視員通路８３に排水勾配が設けられている場合には、排水勾配に合わせて天板部３を本体部５に対して傾斜させておけば、この場合でも監視員通路８３に対して面一の状態で設置することができる。
【００２４】
＜本体部＞
本体部５は、前面パネル３０を有する箱形状に形成されており、その内部には、ホース７を収納するホース収納部９、および消火器３１を収納する消火器収納部３２が設けられている。
前面パネル３０には、ホース収納部９の前方に前面開口部３３が設けられ、前面開口部３３には下降式の前面扉３５が設けられている。
また、前面パネル３０における消火器収納部３２の前面には消火器箱前面開口部３７が設けられ、消火器箱前面開口部３７には横開き式の消火器箱前面扉３９が設けられている。
なお、前面扉３５、消火器箱前面扉３９については、その開放方式は特に限定されるものではなく、前面扉３５を引戸式や回動式、あるいは消火器箱前面扉３９を下降式や回動式にしてもよい。
【００２５】
＜ホース収納部＞
ホース収納部９は、本体部５の内壁上面から内壁下面に至る２本の柱状体４１と、柱状体４１から本体部５の前面の内壁背面に至る略Ｌ字状に屈曲した２枚の帯板４３とを備えて構成されている（図２、６参照）。
【００２６】
ホース収納部９には、図２、図３に示すように、縦方向に内巻きされたホース７が収納されている。なお、ホース収納部９に収納されるホース７の収納方式は、内巻きされて収納される内巻き式のものに限らず、例えばリールに巻き付けられて収納されるリール式でも良い。
また、ホース収納部９は、図３に示すように、本体部５内の背面寄りに設けられホース収納部９と本体部５の前面パネル３０及び前面扉３５との間には空間Ｓが形成されている（図３参照）。空間Ｓは、消火ノズル１１の最大径（把持部も含めた長さ）程度の奥行きがあればホース７の引き出しが可能となる。即ち、空間Ｓが形成されることで、ホース７の引き出しを容易にすると共に、ノズルホルダ１３の設置空間が確保されている。
消火ノズル１１は、ホース７の先端部に設けられ、消火水（泡水溶液も含む）を放射するものである。
【００２７】
＜ノズルホルダ＞
ノズルホルダ１３は、図２に示すように、ホース収納部９の近傍において、高さ方向で中間よりも上方の位置に設けられている。具体的には、上面開口部２３から手を入れて消火ノズル１１を取り出す場合において、肘まで入るまでに消火ノズル１１を掴めるような位置にノズルホルダ１３の位置が設定されており、より具体的には天板部３から３０〜４０ｃｍ下方の位置である。
また、図３に示すように、ノズルホルダ１３は平面視においてホース収納部９の前面よりも前面パネル３０寄りであって、上面開口部２３の下方に設けられている。言い換えれば、平面視において、ノズルホルダ１３は帯板４３の前面部より前面側に配置される。
ノズルホルダ１３の設置位置をこのような配置にしたのは、消火ノズル１１を本体部５の前面側及び上面側の両方から取り出せるようにするためである。
【００２８】
ノズルホルダ１３は、背面側からの斜視図である図５に示すように、ホース収納部９を構成する帯板４３に取り付けられる取付板４５と、取付板４５の背面に固定されたＬ字状の金具からなる支持部４７と、支持部４７に回動可能に取り付けられたノズル保持片４９とを備えている。
また、取付板４５は、図５に示すように、帯板４３に取り付けるための取付片部４５ａと、支持部４７が取り付けられると共に当接板として機能する当接面部４５ｂとを備えている。
当接面部４５ｂには、ノズル保持片４９が通過できるスリット部５１が所定の間隔を離して２つ形成されている。
【００２９】
なお、本実施の形態では２個のＣ字形状のノズル保持片４９が、所定の間隔を離して、具体的にはコ字状のアーム部材５３の両端に取り付けられ、アーム部材５３のアーム片が支持部４７に軸部５５によって回動自在に取り付けられている。ノズル保持片４９は、弾性を有する例えば樹脂製からなり、Ｃ字の切り欠き部５７から消火ノズル１１を押し込むことで、弾性変形して切り欠き部５７を通過した消火ノズル１１を開口部５９内で保持する。
【００３０】
ノズル保持片４９は、消火ノズル１１が取り付けられていないフリーな状態では自重によって回動して、図５（ａ）にように、当接面部４５ｂの背面側に位置するようになっている。
図５（ａ）の状態から、ノズル保持片４９を前面側に回動すると、図５（ｂ）に示すように、ノズル保持片４９がスリット部５１を通過して、当接面部４５ｂの前面側に出る。図５（ｂ）に示す状態では、ノズル保持片４９のほぼ全体が当接面部４５ｂの前面側に出ており、かつ切り欠き部５７が前面側を向いている。この状態であれば、図６、図７に示すように、消火ノズル１１をノズル保持片４９に前面側から押し込むことで保持させ、また取り外すことができる。そして、消火ノズル１１を保持した状態では、消火ノズル１１が当接面部４５ｂに当接してノズル保持片４９の回動が規制され、図６、図７の状態で保持されている。
【００３１】
ノズル保持片４９をさらに回動すると、図５（ｃ）に示すように、切り欠き部５７が上方を向き、この状態になれば、消火ノズル１１を上方側から取り外すことができる。
すなわち、消火ノズル１１を掴んで上方に引き上げると、図８、図９に示すように、ノズル保持片４９が回動して切り欠き部５７が上方向に向く。これによって、消火ノズル１１をそのまま上方に引き上げることで消火ノズル１１を取り外すことができる。
【００３２】
消火ノズル１１を取り外すと、ノズル保持片４９は自重によって回動して、図１０、図１１に示すように、当接面部４５ｂの背面側に移動する。このため、例えば前面開口部３３からホース７を引き出す場合、ノズル保持片４９がホース７と干渉することがない。この点は、ホース７を上面開口部２３から引き出す場合も同様である。
【００３３】
＜消火ノズル落下防止棒＞
消火ノズル落下防止棒１５は、本発明の消火ノズル落下防止手段の一態様であり、ノズル保持片４９に消火ノズル１１を保持させた状態でホース７の下方に配置され、消火ノズル１１がノズルホルダ１３から外れたときに、ホース７を支持してホース７及び消火ノズル１１が落下するのを防止するものである。
消火ノズル落下防止棒１５は、ホース収納部９を構成する柱状体４１のうちノズル保持片４９に近い側の柱状体４１に取り付けられている。
【００３４】
消火ノズル落下防止棒１５は、柱状体４１から前面パネル３０側に延出する棒状体によって構成されている。消火ノズル落下防止棒１５の先端と前面パネル３０の内面との間にはわずかな隙間が形成されるが、この隙間はホース７の直径よりも小さく設定されている。このようにすることで、消火ノズル落下防止棒１５と前面パネル３０との隙間をホース７がすり抜けて落下するのを防止できる。
【００３５】
消火ノズル落下防止棒１５の高さ方向の位置に関し、適切な位置は、図６に示すように、消火ノズル１１をノズル保持片４９に保持させた状態で、ホース７を真横に延長させたときのホース７の下面位置である。これによって、消火ノズル１１をノズル保持片４９に保持させるときにホース７が干渉するのを防止できる。
消火ノズル落下防止棒１５の高さ方向の位置はそれだけに限らず、その位置の上限は、上面扉２５の背面よりホース７の径だけ下方の位置である。
また、消火ノズル落下防止棒１５の位置の下限は、消火ノズル落下防止棒１５にホース７が支持された状態で上面開口部２３から手を突っ込んで取れるような位置にする必要がある。具体的には、天板部３から６０ｃｍ下方の位置よりも高いのが望ましい。より好ましくは、作業者の腕が肘まで入るまでに支持されているホース７に手が届くような位置であり、より具体的には天板部３から３０〜４０ｃｍ下方の位置である。
【００３６】
＜操作レバー＞
操作レバー１７は、消火栓弁を操作するためのものであり、図２に示すように、ホース収納部９のノズルホルダ１３に近い側の柱状体４１に設けられている。操作レバー１７を設ける位置は、ノズルホルダ１３を設ける位置と同様に、前面開口部３３及び上面開口部２３の両方から作業者が操作等できる位置であればよい。
操作レバー１７の位置を具体的に示すと、ノズルホルダ１３を設ける位置と同様であり、上面開口部２３から手を入れて操作レバー１７を操作する場合において、作業者の腕が肘まで入るまでに操作レバー１７を操作できるような位置に操作レバー１７の位置が設定されており、より具体的には天板部３から３０〜４０ｃｍ下方の位置である。
また、図３に示すように、操作レバー１７は平面視においてホース収納部９の前面よりも前面パネル３０寄りであって、上面開口部２３の下方に設けられている。言い換えれば、平面視において、操作レバー１７は帯板４３の前面部より前面側に配置される。
【００３７】
次に、上記のように構成された消火栓装置１について、消火ノズル１１の取り外し方法とホース７の引き出し方法について詳細に説明する。
＜前面開口部から消火ノズルを取り外す場合＞
前面扉３５を開放すると、図２に示すように、消火ノズル１１がノズルホルダ１３に保持された状態が見える。ノズルホルダ１３の位置は、前述したように、ホース収納部９よりも前方に設けられており、消火ノズル１１へはすぐに手が届く。なお、前述したように、ノズル保持片４９は回動自在になっているため、消火ノズル１１を保持した状態でも回動可能であるが、消火ノズル１１が当接面部４５ｂに当接した状態から背面側に回動することはできず、即ち、消火ノズル１１が当接面部４５ｂに当接して移動が規制され、図６、図７の状態で保持されている。
また、図６、図７に示す状態では、ノズル保持片４９の切り欠き部５７（図５参照）が前面側を向いているので、消火ノズル１１を前面側に引くことで、消火ノズル１１を取り外すことができる。
消火ノズル落下防止棒１５は、真っ直ぐな棒状体であるため、消火ノズル１１を前面側に引いた際にホース７が引っかかることがなく、消火ノズル１１の取り外しに支障がない。
【００３８】
＜上面開口部から消火ノズルを取り出す場合＞
上面扉２５を開放して消火ノズル１１を取り出す場合、上面扉２５を開放すると、図３、図１４に示すように、上面開口部２３から消火ノズル１１が見える。ノズルホルダ１３の位置は、前述したように、本体部５の高さ方向で中間よりも上方にあり、上面開口部２３から腕を挿入することで、保持されている消火ノズル１１に手が届く。
上面開口部２３から腕を挿入して消火ノズル１１を掴んで上方に引き上げると、前述のように、ノズル保持片４９が回動して切り欠き部５７が上方向に向き、消火ノズル１１をそのまま上方に引き上げることで消火ノズル１１を取り外すことができる（図８、図９参照）。
【００３９】
消火ノズル１１を取り外すと、前述したように、ノズル保持片４９は自重によって回動して、当接面部４５ｂの背面側に移動し、前面開口部３３からホース７を引き出す場合、ノズル保持片４９がホース７と干渉することがない（図１０、図１１参照）。
なお、ホース収納部９と前面パネル３０との間には空間Ｓがあるため、ホース７の引き出しに際してホース７が内部機器類、前面パネル３０、前面扉３５等と干渉することなく、スムーズな引き出しが可能である。
空間Ｓの奥行き方向の距離としては、消火ノズル１１を上方に持ち上げるようにして取り出すことを想定すると、消火ノズル１１の最大幅Ｗ（即ち、消火ノズル１１のハンドル部の幅）（図７参照）以上に設定するのが好ましい。
また、前述したように上面開口部２３における奥行き方向に延びる辺部に引っかかり防止部材を設けることで、上面開口部２３の上記辺部にホース７が引っかかることなくスムーズな引出しが可能となる。
【００４０】
消火ノズル１１の取り出しの際、誤って消火ノズル１１から手を放してしまったような場合、消火ノズル１１が落下するが、図１２〜図１４に示すように、消火ノズル落下防止棒１５によってホース７が支持されるので、支持されているホース７を掴んで上面開口部２３から取り出すことができる。
仮に消火ノズル落下防止棒１５がない場合には、消火ノズル１１がホース７と共に本体部５の底面まで落下するため、上面開口部２３から取出すことができなくなる。この場合、作業者は、監視員通路８３から車道８５に下りて、前面扉３５を開扉して消火ノズル１１を取り出すことになるが、火災という緊急状況下においてこのような態様は消火活動の遅れとなることから避ける必要があるところ、消火ノズル落下防止棒１５があることでこれを避けることができ、消火ノズル落下防止棒１５の効果は大きい。
【００４１】
以上のように、本実施の形態の消火栓装置１においては、天板部３が監視員通路８３の路面の一部となり通行することができ、かつホース７の引き出し、操作レバー１７の操作、及び消火器３１の取り出しを前面側及び上面側からの両方から行うことができる。
【００４２】
特に、本実施の形態の消火栓装置１においては、ノズルホルダ１３が、平面視においてホース収納部９の前面よりも前面パネル３０寄りで、かつ上下方向で中間よりも上方の位置に設けられていることにより、前面開口部３３及び上面開口部２３のいずれからでも消火ノズル１１に手が容易に届くので、前面開口部３３及び上面開口部２３のいずれからでも消火ノズル１１を取り出して、ホース７を引き出すことができる。
また、ノズル保持片４９が回動してノズル保持片４９の切り欠き部５７の位置を前面側と上面側にすることができるので、前面側及び上面側のいずれからでも消火ノズル１１の取り外しをスムーズに行うことができる。
【００４３】
さらに、消火ノズル１１を上面側から取り出す場合において、仮に手を滑らせて消火ノズル１１を手から放したとしても、上面開口部２３からすぐに取り出すことができ、消火遅れの事態を引き起こすことなく、円滑な消火活動ができる。
【００４４】
なお、上記の説明では、ノズル保持片４９としてＣ形状のものを例に挙げているが、本発明のノズル保持片４９の形状はこれに限られるものはなく、種々の形状のものを使用できる。もっとも、ノズル保持片４９を回動させて消火ノズル１１を前面側と上面側から取り外す場合には、ノズル保持片４９は少なくともＣ形状における切り欠き部５７に相当する消火ノズル１１を押し込むような部位を有することが必要である。
【００４５】
また、上記の実施の形態では、ノズル落下防止手段の一態様として棒状体からなる消火ノズル落下防止棒１５を例示したが、本発明のノズル落下防止手段の形状は棒状体のものに限定されず、上面側からの消火ノズル１１の取り出しの際に消火ノズル１１が手から放れたときに落下を防止することができ、かつ消火ノズル１１を前面側に取り出す際に干渉しないような形状であればよい。例えば、ノズルホルダ１３の下方に落下した消火ノズル１１を受け止める受け皿状のものでも良い。
【００４６】
また、本発明の実施の形態は、天板部と本体部とが別体に構成され、本体部を設置用空間８７に載置し、天板部を監視員通路８３に係止させるようないわゆる別体型の消火栓装置にも適用できる。また、本発明の実施の形態は、設置用空間８７に載置する直方体形状の箱体からなる載置型の消火栓装置にも適用できる。
【符号の説明】
【００４７】
１  消火栓装置
３  天板部
５  本体部
７  ホース
９  ホース収納部
１１  消火ノズル
１３  ノズルホルダ
１５  消火ノズル落下防止棒
１７  操作レバー
１９  張出し部
２１  アングル材
２３  上面開口部
２５  上面扉
２７  消火器箱上面開口部
２９  消火器箱上面扉
３０  前面パネル
３１  消火器
３２  消火器収納部
３３  前面開口部
３５  前面扉
３７  消火器箱前面開口部
３９  消火器箱前面扉
４１  柱状体
４３  帯板
４５  取付板
４５ａ  取付片部
４５ｂ  当接面部
４７  支持部
４９  ノズル保持片
５１  スリット部
５３  アーム部材
５５  軸部
５７  切り欠き部
５９  開口部
Ｓ  空間
Ｗ  消火ノズルの最大幅
＜監視員通路＞
８１  トンネル壁面
８３  監視員通路
８５  車道
８７  設置用空間
８９  前壁
９１  開口縁部
【図１】
2018094288.tif 000003
【図２】
2018094288.tif 000004
【図３】
2018094288.tif 000005
【図４】
2018094288.tif 000006
【図５】
2018094288.tif 000007
【図６】
2018094288.tif 000008
【図７】
2018094288.tif 000009
【図８】
2018094288.tif 000010
【図９】
2018094288.tif 000011
【図１０】
2018094288.tif 000012
【図１１】
2018094288.tif 000013
【図１２】
2018094288.tif 000014
【図１３】
2018094288.tif 000015
【図１４】
2018094288.tif 000016
【図１５】
2018094288.tif 000017